(57)【要約】【課題】レンズホルダを保持するベース部材を備えた光学式ピックアップ装置において、従来例のベース部材を上下反転させた形状に設計した上で、ベース部材と光学シャーシとに傾角調整機構を具備させる。ベース部材に従来例のカバーと同等の機能を持たせる。【解決手段】ベース部材１０にレンズホルダ４０の上側に配備される上板部７２と、脚片部７４と、支軸部７６とを設ける。対物レンズ４１の傾角を調整するための機構を、脚片部７４の湾曲面でなる下端面７５と光学シャーシ１０の谷形面でなる受面１５とで形成する。レンズホルダ４０に対する電磁駆動機構が、脚片部７４と、マグネット７８と、レンズホルダ４０のコイル４２，４３を含む。【選択図】　　　　図５
2004022076.tif 000002
【特許請求の範囲】
【請求項１】
対物レンズを備えるレンズホルダと、そのレンズホルダを保持してフォーカス方向及びトラッキング方向に駆動する電磁駆動機構を具備するベース部材と、光学シャーシと、上記ベース部材を上記光学シャーシに結合しかつ上記対物レンズの傾角調整機能を備えた傾角調整機構と、上記レンズホルダを内包しかつ上記対物レンズを露出させる開口を有するカバーと、上記レンズホルダのフォーカス方向での可動範囲を規制する第１ストッパと、上記レンズホルダのトラッキング方向での可動範囲を規制する第２ストッパと、を有する光学式ピックアップ装置において、
上記カバーを省略し、上記ベース部材に、上記対物レンズを露出させる開口を有して上記ホルダの上側に配備される上板部と、この上板部の幅方向両側から下方へ延び出て左右対称に配備された一対の脚片部と、上板部から下方へ延び出て上記レンズホルダを軸方向摺動自在及び及び周方向回転自在に支持する支軸部とが備わり、上記傾角調整機構が、上記ベース部材及び上記光学シャーシの各複数箇所に設けられてねじ結合されるねじ止め部と、上記脚片部の湾曲面状に形成された下端面と、上記脚片部の下端面を互いに直交する２軸周りに揺動可能に受け止めかつ光学シャーシに具備されてその光学シャーシの内側に向かう下り勾配に形成された谷形面でなる受面とを有し、上記電磁駆動機構が、一対の上記脚片部と、それらの脚片部のそれぞれの内面に各別に重なり状に配備されたマグネットと、上記レンズホルダに具備されたコイルとを含み、上記第１ストッパが上記レンズホルダの下側に位置する光学シャーシに具備された下側ストッパ面と上記レンズホルダの上側に位置する上記ベース部材の上板部に具備された上側ストッパ面とによって形成され、上記第２ストッパが上記ベース部材の上板部から下方へ延び出て上記レンズホルダに形成された開口に挿通されかつその開口の口壁に係合可能な突片部によって形成されていることを特徴とする光学式ピックアップ装置。
【請求項２】
対物レンズを備えるレンズホルダと、そのレンズホルダを保持してフォーカス方向及びトラッキング方向に駆動する電磁駆動機構を具備するベース部材と、光学シャーシと、上記ベース部材を上記光学シャーシに結合しかつ上記対物レンズの傾角調整機能を備えた傾角調整機構と、上記レンズホルダを内包しかつ上記対物レンズを露出させる開口を有するカバーと、上記レンズホルダのフォーカス方向での可動範囲を規制する第１ストッパと、上記レンズホルダのトラッキング方向での可動範囲を規制する第２ストッパと、を有する光学式ピックアップ装置において、
上記カバーを省略し、上記ベース部材に、上記対物レンズを露出させる開口を有して上記ホルダの上側に配備される上板部とこの上板部から下方へ延び出た脚片部とが備わり、上記傾角調整機構が、上記ベース部材及び上記光学シャーシの各複数箇所に設けられてねじ結合されるねじ止め部と、光学シャーシに具備されて上記脚片部の下端面を互いに直交する２軸方向に揺動可能に受け止める受面とを有することを特徴とする光学式ピックアップ装置。
【請求項３】
上記脚片部が、上記上板部の幅方向両側にそれそれ対称に配備され、それらの脚片部の下端面が湾曲面状に形成され、かつ、上記受面が、上記光学シャーシの内側に向かう下り勾配に形成された谷形面でなる請求項２に記載した光学式ピックアップ装置。
【請求項４】
上記第１ストッパが上記レンズホルダの下側に位置する光学シャーシに具備された下側ストッパ面と上記レンズホルダの上側に位置する上記ベース部材の上板部に具備された上側ストッパ面とによって形成され、上記第２ストッパが上記ベース部材に備わっている請求項２又は請求項３に記載した光学式ピックアップ装置。
【請求項５】
上記電磁駆動機構が、上記上板部の幅方向両側にそれぞれ左右対称に配備された一対の上記脚片部と、それらの脚片部のそれぞれの内面に各別に重なり状に配備されたマグネットと、上記レンズホルダに具備されたコイルとを含んでいる請求項２ないし請求項４のいずれかに１項に記載した光学式ピックアップ装置。
【発明の詳細な説明】
【０００１】
【発明の属する技術分野】
本発明は、コンパクトディスク（ＣＤ）、ミニディスク（ＭＤ）、デジタルバーサタイルディスク（ＤＶＤ）などのディスクに対して信号を記録又は再生する光学式ピックアップ装置に関する。
【０００２】
【従来の技術】
光学式ピックアップ装置は、対物レンズが取り付けられたレンズホルダと、レンズホルダを保持してフォーカス方向及びトラッキング方向に駆動する電磁駆動機構を具備するベース部材と、発光素子及び受光素子が取り付けられた光学シャーシと、ベース部材を上記光学シャーシに結合しかつ対物レンズの傾角調整機能を備えた傾角調整機構と、レンズホルダを内包しかつ対物レンズを露出させる開口を有するカバーと、レンズホルダのフォーカス方向での可動範囲を規制する第１ストッパと、レンズホルダのトラッキング方向での可動範囲を規制する第２ストッパとを有している。
【０００３】
図７はこの種の従来の光学式ピックアップ装置に用いられている光学シャーシなどを示した概略斜視図、図８は同ベース部材、レンズホルダ及びカバーを示した分解斜視図、図９は傾角調整機構の要部の説明図、図１０は同装置の概略縦断正面図である。
【０００４】
図７の光学シャーシ１０は図示していないガイドシャフトに沿ってディスクの半径方向に往復移動される。光学シャーシ１０にはビーム通過口１１を取り囲むように枠部１２がリブ状に形成されていて、その枠部１２の前端部の１箇所に取付けねじ挿通孔１３ａが備わり、その後端部の左右２箇所に調整ねじ挿通孔１３ｂ，１３ｂが備わっている。１４ａは取付けねじ、１４ｂは調整ねじをそれぞれ示し、取付けねじ１４ａにはコイルばね１４が嵌め込まれるようになっている。また、上記枠部１２の３箇所に光学シャーシ１０の内側に向かう下り勾配に形成された平坦な傾斜面でなる受面１５…が備わっている。
【０００５】
図８のベース部材２０は、ビーム通過口２１を有する下板部２２の前側１箇所とその後側の左右２箇所とにそれぞれねじ孔２３ａ，２３ｂ（後側の１つのねじ孔は図に現れない）が備わっていると共に、他の３箇所に端面が湾曲面に形成された突片部２５…が備わっている。また、ベース部材２０は、下板部２２の幅方向両側から上方へ延び出て左右対称に配備された一対の立上り片部２４，２４と、下板部２２から上方へ延び出た支軸部２６と、この支軸部２６を挟む両側に配備された一対の突片部２７，２７とを備えていて、一対の立上り片部２４，２４のそれぞれの内面には各別に重なり状にマグネット２８が配備されている。
【０００６】
図８のレンズホルダ４０には対物レンズ４１が備わっていると共に、その左右両側と下側とにそれぞれコイル４２，４３が備わっている。そして、このレンズホルダ４０に設けられた孔部４４がベース部材２０の支軸部２６に軸方向摺動自在及び及び周方向回転自在に嵌合され、かつ、孔部４４の両側の開口４５，４５がベース部材２０の突片部２７，２７に各別に遊嵌される。また、レンズホルダ４０には図示していない磁性体が具備され、この磁性体がベース部材２０側の左右のマグネット２８，２８の吸引作用を受けることにより、レンズホルダ４０が支軸部２６の軸方向中間部に浮遊状態で保持されるようになっている。
【０００７】
図８のカバー５０は、レンズホルダ４０を搭載したベース部材２０が結合されている光学シャーシ１０（図７参照）に取り付けられ、レンズホルダ４０を内包する。また、このカバー５０には、対物レンズ４１を露出させる開口５１が備わっている。
【０００８】
図７及び図８に示した光学シャーシ１０、ベース部材２０、レンズホルダ４０及びカバー５０が組み付けられてなる光学式ピックアップ装置において、レンズホルダ４０をフォーカス方向及びトラッキング方向に駆動する電磁駆動機構は、ヨークとして作用するベース部材２０の一対の立上り片部２４，２４と、マグネット２８，２８と、レンズホルダ４０に具備されたコイル４２，４３とを含んでいる。
【０００９】
また、対物レンズの傾角調整機能を備えた傾角調整機構が、コイルばね１４が嵌合された取付けねじ１４ａ及び調整ねじ１４ｂ，１４ｂと、ねじ止め部を形成している光学シャーシ１０の取付けねじ挿通孔１３ａ及び調整ねじ挿通孔１３ｂ，１３ｂ並びにベース部材２０のねじ孔２３ａ，２３ｂと、光学シャーシ１０の受面１５及びベース部材２０の突片部２５…とを含んでいて、その傾角調整機構によってベース部材２０が光学シャーシ１０に結合される。この傾角調整機構を使って対物レンズの傾角調整を行うときには、図１０のように光学シャーシ１０の取付けねじ挿通孔１３ａに、コイルばね１４を嵌合した取付けねじ１４ａを下方から挿通させてベース部材２０のねじ孔２３ａにねじ込むことと併せて、光学シャーシ１０の調整ねじ挿通孔１３ｂに調整ねじ１４ｂを下方から挿通させてベース部材２０のねじ孔２３ｂにねじ込む。これにより、光学シャーシ１０の３箇所の傾斜した受面１５…のそれぞれに、ベース部材２０の３箇所の突片部２５…が各別に重なり合う。それぞれの突片部２５の受面１５に対する重なり面２５ａは図９のように湾曲面になっているので、２箇所のねじ孔１３ｂにねじ合わせた調整ねじ１４ｂを正方向又は逆方向に回転させる。このようにすると、ベース部材２０を互いに直交する２軸周りで揺動させて、ベース部材２０に保持されているレンズホルダ４０の対物レンズ４１の傾角調整を行うことができる。
【００１０】
図１０で類推できるように、レンズホルダ４０のフォーカス方向での可動範囲は、ベース部材２０の下板部２２の上面によって形成されたストッパ面２９とカバー５０の内面とによって形成される第１ストッパ６１によって規制される。すなわち、レンズホルダ４０がストッパ面６１に当たる位置とカバー５０の内面に当たる位置との間でフォーカス方向に変位可能である。また、レンズホルダ４０のトラッキング方向での可動範囲は、レンズホルダ４０の開口４５の口壁に係合可能なベース部材２０側の突片部２７によって形成されている第２ストッパ６２で規制される。すなわち、開口４６の口壁が突片部２７の片側端に当たる位置と他側端に当たる位置との間でレンズホルダ４０がトラッキング方向に変位可能である。
【００１１】
以上説明した従来の光学式ピックアップ装置において、カバー５０は、レンズホルダ４０の配備箇所への塵芥の侵入を防ぐことに役立つほか、レンズホルダ４０がフォーカス方向又はトラッキング方向に変位したときや光学式ピックアップ装置全体がディスク半径方向に移動したときなどに、対物レンズ４１が他の部品と干渉するという事態を未然に防ぐことに役立つ。また、光学式ピックアップ装置をセットに組み込む工程中で手が対物レンズ４１などに触れることを防ぐ上でも有益である。
【００１２】
一方、特開２００１−３１９３４２号公報（先行例１）に光学式ピックアップについての記載があり、このものにも、従来例で説明した上記カバー５０と同様の作用を発揮するカバーが示されている。
【００１３】
また、特開平９−３２００６０号公報（先行例２）に光学ピックアップ装置についての記載があり、このものでは、ディスク半径方向に移動されるアクチュエータベースに背高の保護用周壁を具備させ、の周壁で囲まれた空間に対物レンズを支持したアクチュエータ（レンズホルダーなど）を収容することによって、上記した従来例のカバー５０とほゞ同様の作用を発揮させるようにしている。
【００１４】
【発明が解決しようとする課題】
しかしながら、従来例で説明した光学式ピックアップ装置では、図１０のようにヨークとしての機能を備えているベース部材２０の下板部２２が光学シャーシ１０に重なっているために、ベース部材２０に保持されているレンズホルダ４０をカバー５０で上側から覆ってそのカバー５０にレンズホルダ４０を内包させておく必要が生じているだけでなく、下板部２２の厚さに見合う分だけ装置全体が嵩高になり、装置の小形化コンパクト化を図る上での障害になっている。また、レンズホルダ４０のフォーカス方向での可動範囲をベース部材２０側のストッパ面２９とカバー５０の内面とによって形成される第１ストッパ６１によって規制していることも、装置の小形化コンパクト化を図る上での障害になっている。この点は、先行例１の光学式ピックアップについても同様のことが云える。
これに対し、先行例２の光学ピックアップ装置では、アクチュエータベースに具備させた背高の保護用周壁でアクチュエータを取り囲んだ構成になっているので、装置の小形化コンパクト化を図りやすいとも云えるが、このものではアクチュエータの上部を覆う部材がないためにアクチュエータが上方へ露呈し、その結果、アクチュエータと他の部品との干渉を防ぐための満足のいく機能が得られにくいということが云える。
【００１５】
本願発明者は、従来例や先行例に見られる状況に着目し、図８に示した形状のベース部材であれば、それを上下反転させた形状に設計することによって、そのベース部材にカバーの機能を持たせることができることを見出し、しかも、そのようにすることによってベース部材の下板部が光学シャーシに重ならなくなってそれだけ装置の小形化コンパクト化を図りやすくなるであろうと考えた。
【００１６】
本発明は以上の状況の下でなされたものであり、従来例のベース部材を上下反転させた形状に設計することを基本として、そのように設計されたベース部材と光学シャーシとに傾角調整機構を具備させた光学式ピックアップ装置を提供することを目的とする。
【００１７】
また、本発明は、従来例のベース部材を上下反転させた形状に設計することによって、そのベース部材に従来例のカバーと同等の機能を持たせることのできる光学式ピックアップ装置を提供することを目的とする。
【００１８】
【課題を解決するための手段】
本発明に係る光学式ピックアップ装置は、対物レンズを備えるレンズホルダと、そのレンズホルダを保持してフォーカス方向及びトラッキング方向に駆動する電磁駆動機構を具備するベース部材と、光学シャーシと、上記ベース部材を上記光学シャーシに結合しかつ上記対物レンズの傾角調整機能を備えた傾角調整機構と、上記レンズホルダを内包しかつ上記対物レンズを露出させる開口を有するカバーと、上記レンズホルダのフォーカス方向での可動範囲を規制する第１ストッパと、上記レンズホルダのトラッキング方向での可動範囲を規制する第２ストッパと、を有する光学式ピックアップ装置において、上記カバーを省略し、上記ベース部材に、上記対物レンズを露出させる開口を有して上記ホルダの上側に配備される上板部とこの上板部から下方へ延び出た脚片部とが備わり、上記傾角調整機構が、上記ベース部材及び上記光学シャーシの各複数箇所に設けられてねじ結合されるねじ止め部と、光学シャーシに具備されて上記脚片部の下端面を互いに直交する２軸周りに揺動可能に受け止める受面とを有することを特徴とする。
【００１９】
この構成であれば、ベース部材の上板部が、そのベース部材に保持されているレンズホルダを上側から覆うので、そのベース部材によって、レンズホルダ４０の配備箇所への塵芥の侵入を防ぐ作用、レンズホルダがフォーカス方向又はトラッキング方向に変位したときや光学式ピックアップ装置全体がディスク半径方向に移動したときなどに対物レンズ４１が他の部品と干渉するという事態を防ぐ作用、光学式ピックアップ装置をセットに組み込む工程中で手が対物レンズなどに触れることを防ぐという作用が発揮される。言い換えると、ベース部材がそれ本来のレンズホルダを保持するという作用の他に、従来例で用いられていたカバーとしての機能をも発揮するため、カバーを省略して部品点数を削減しても、従来例で用いられていたカバーによって発揮される作用と同等の作用がベース部材によって発揮される。また、傾角調整機構が、ベース部材及び光学シャーシの各複数箇所に設けられてねじ結合されるねじ止め部と、光学シャーシに具備されて上記脚片部の下端面を互いに直交する２軸周りに揺動可能に受け止める受面とを有するので、従来例と同等程度の対物レンズの傾角調整機能が発揮される。
【００２０】
本発明では、上記脚片部が、上記上板部の幅方向両側にそれそれ対称に配備され、それらの脚片部の下端面が湾曲面状に形成され、かつ、上記受面が、上記光学シャーシの内側に向かう下り勾配に形成された谷形面でなることが望ましく、これによれば、傾角調整機構を容易に形成することができ、それだけ設計が容易になる。
【００２１】
本発明では、上記第１ストッパが上記レンズホルダの下側に位置する光学シャーシに具備された下側ストッパ面と上記レンズホルダの上側に位置する上記ベース部材の上板部に具備された上側ストッパ面とによって形成され、上記第２ストッパが上記ベース部材に備わっていることが望ましい。レンズホルダのフォーカス方向での可動範囲が光学シャーシ側のの下側ストッパ面とベース部材側の上板部とによって規制されるために、従来例の場合よりも装置の小形化コンパクト化を図りやすくなる。
【００２２】
本発明では、上記電磁駆動機構が、上記上板部の幅方向両側にそれぞれ左右対称に配備された一対の上記脚片部と、それらの脚片部のそれぞれの内面に各別に重なり状に配備されたマグネットと、上記レンズホルダに具備されたコイルとを含んでいることが望ましい。これによれば、従来例のベース部材の形状を大きく変更することなく、電磁駆動機構を構成することが可能である。
【００２３】
本発明は次の構成を採用することによっていっそう具体化される。すなわち、対物レンズを備えるレンズホルダと、そのレンズホルダを保持してフォーカス方向及びトラッキング方向に駆動する電磁駆動機構を具備するベース部材と、光学シャーシと、上記ベース部材を上記光学シャーシに結合しかつ上記対物レンズの傾角調整機能を備えた傾角調整機構と、上記レンズホルダを内包しかつ上記対物レンズを露出させる開口を有するカバーと、上記レンズホルダのフォーカス方向での可動範囲を規制する第１ストッパと、上記レンズホルダのトラッキング方向での可動範囲を規制する第２ストッパと、を有する光学式ピックアップ装置において、上記カバーを省略し、上記ベース部材に、上記対物レンズを露出させる開口を有して上記ホルダの上側に配備される上板部と、この上板部の幅方向両側から下方へ延び出て左右対称に配備された一対の脚片部と、上板部から下方へ延び出て上記レンズホルダを軸方向摺動自在及び及び周方向回転自在に支持する支軸部とが備わり、上記傾角調整機構が、上記ベース部材及び上記光学シャーシの各複数箇所に設けられてねじ結合されるねじ止め部と、上記脚片部の湾曲面状に形成された下端面と、上記脚片部の下端面を互いに直交する２軸周りに揺動可能に受け止めかつ光学シャーシに具備されてその光学シャーシの内側に向かう下り勾配に形成された谷形面でなる受面とを有し、上記電磁駆動機構が、一対の上記脚片部と、それらの脚片部のそれぞれの内面に各別に重なり状に配備されたマグネットと、上記レンズホルダに具備されたコイルとを含み、上記第１ストッパが上記レンズホルダの下側に位置する光学シャーシに具備された下側ストッパ面と上記レンズホルダの上側に位置する上記ベース部材の上板部に具備された上側ストッパ面とによって形成され、上記第２ストッパが上記ベース部材の上板部から下方へ延び出て上記レンズホルダに形成された開口に挿通されかつその開口の口壁に係合可能な突片部によって形成されている、という構成を採用することによっていっそう具体化される。
【００２４】
これによれば、従来例のカバーを省略し、かつ、従来例のベース部材を上下反転させた形状に設計することによっても、カバーを省略した代わりに別部材を追加するという事態が起こらなくなり、カバーを省略して装置全体の部品点数を削減することが可能になる。
【００２５】
【発明の実施の形態】
図１は本発明実施形態の光学式ピックアップ装置に用いられる光学シャーシ１０やレンズホルダ４０などを示した概略分解斜視図、図２はベース部材７０を斜め下側から見て示した概略斜視図、図３及び図４は傾角調整機構の説明図、図５は光学式ピックアップ装置の概略縦断正面図、図６は変形例によるベース部材７０を斜め下側から見て示した概略斜視図である。
【００２６】
図１に示した光学シャーシ１０は、図示していないガイドシャフトに沿ってディスクの半径方向に往復移動される。この光学シャーシ１０において、リブ状の枠部１２の左右対称位置に備わっている受面１５の形状以外は、図７で説明した従来例の光学シャーシ１０と同様の構成が採用されている。コイルばね１４や取付けねじ１４ａ、調整ねじ１４ｂについても図７で説明した従来例の光学シャーシ１０のそれらと同様のものが採用されている。図１のレンズホルダー４０は、図８で説明したレンズホルダ４０と同じ構成である。したがって、同一部分に同一符号を付すことによって説明が重複すること回避することとする。
【００２７】
ここで、図１の光学シャーシ１０に備わっている受面１５は、光学シャーシ１０の内側に向かう下り勾配に形成された谷形面でなる。
【００２８】
次に、図２に示したベース部材７０は、その基本形状が図８で説明した従来例のベース部材７０を上下反転させることによって具現される形状に相応している。すなわち、このベース部材７０は、ビーム通過口７１を有する上板部７２の前端部の１箇所とその後端部の左右２箇所とにそれぞれ下方へ延び出た垂下片部７９ａ，７９ｂが備わり、それらの垂下片部７９ａ，７９ｂの下端が外側へ折り曲げられてそこにねじ孔７３ａ，７３ｂが備わっている。また、ベース部材７０は、上板部７２の幅方向両側から浸方へ延び出て左右対称に配備された一対の脚片部７４，７４と、上板部２２から下方へ延び出た支軸部７６と、この支軸部７６を挟む両側に配備された一対の突片部７７，７７とを備えていて、一対の脚片部７４，７４のそれぞれの内面には各別に重なり状にマグネット７８，７８が配備されている。
【００２９】
ベース部材７０は図８で説明したベース部材２０を上下反転させたものに相応する形状を有している。すなわち、ベース部材７０のビーム通過口７１、上板部７２、ねじ孔７３ａ，７３ｂ、脚片部７４、支軸部７６、突片部７７、マグネット７８のそれぞれは、図８で説明したベース部材２０を上下反転させた場合のビーム通過口２１、下板部２２、ねじ孔２３ａ，２３ｂ、立上り片部２４、支軸部２６、突片部２７、マグネット２８のそれぞれに相応している。なお、図８のベース部材２０に備わっている突片部２５は図２のベース部材７０で省略されており、その代わりに、脚片部７４の下端面７５が湾曲面状に形成されている。すなわち、脚片部７４の下端面７５の側面視形状は図４のように円弧状に形成され、かつ、その正面視形状は図３のように湾曲状に形成されている。
【００３０】
図２のベース部材７０によって図１に示したレンズホルダ４０が保持される。すなわち、レンズホルダ４０の孔部４４がベース部材７０の支軸部７６に軸方向摺動自在及び及び周方向回転自在に嵌合され、かつ、孔部４４の両側の開口４５，４５がベース部材７０の突片部７７，７７に各別に遊嵌される。また、レンズホルダ４０に具備されている磁性体（不図示）がベース部材７０側の左右のマグネット７８，７８の吸引作用を受けることにより、レンズホルダ４０が支軸部７６の軸方向中間部に浮遊状態で保持される。そして、レンズホルダ４０をフォーカス方向及びトラッキング方向に駆動する電磁駆動機構が、ヨークとして作用するベース部材７０の一対の脚片部７４，７４と、マグネット７８，７８と、レンズホルダ４０に具備されたコイル４２，４３とを含んでいる。
【００３１】
また、対物レンズ４１の傾角調整機能を備えた傾角調整機構が、図１に示したコイルばね１４が嵌合された取付けねじ１４ａ及び調整ねじ１４ｂ，１４ｂと、ねじ止め部を形成している光学シャーシ１０の取付けねじ挿通孔１３ａ及び調整ねじ挿通孔１３ｂ，１３ｂ並びに図２に示したベース部材７０のねじ孔７３ａ，７３ｂと、光学シャーシ１０の受面１５及びベース部材７０の脚片部７４の下端面７５…とを含んでいて、その傾角調整機構によってベース部材７０が光学シャーシ１０に結合される。この傾角調整機構を使って対物レンズの傾角調整を行うときには、図１５のように光学シャーシ１０の取付けねじ挿通孔１３ａに、コイルばね１４を嵌合した取付けねじ１４ａを下方から挿通させてベース部材７０のねじ孔７３ａにねじ込むことと併せて、光学シャーシ１０の調整ねじ挿通孔１３ｂに調整ねじ１４ｂを下方から挿通させてベース部材７０のねじ孔７３ｂにねじ込む。これにより、光学シャーシ１０の２箇所の受面１５…のそれぞれに、ベース部材７０の左右の脚片部７４の下端面７５が各別に重なり合う。図３又は図４のように、受面１５と脚片部７４の下端面７５との重なり箇所では、脚片部７４が受面１５により互いに摺動して直交する２軸方向に揺動可能になっているので、２箇所のねじ孔１３ｂにねじ合わせた調整ねじ１４ｂを正方向又は逆方向に回転させると、ベース部材７０が揺動してそのベース部材７０に保持されているレンズホルダ４０の対物レンズ４１の傾角調整が行われる。
【００３２】
図１５で類推できるように、レンズホルダ４０のフォーカス方向での可動範囲を規制する第１ストッパ６１は、レンズホルダ４０の下側に位置する光学シャーシ１０の上面によって形成された下側ストッパ面６１ａとレンズホルダ４０の上側に位置するベース部材７０の上板部７２の下面でなる上側ストッパ面６１ｂとによって形成されている。したがって、レンズホルダ４０が下側ストッパ面６１ａに当たる位置と上側ストッパ面６１ｂに当たる位置との間でフォーカス方向に変位可能である。また、レンズホルダ４０のトラッキング方向での可動範囲は、ベース部材７０の突片部７７によって形成されている第２ストッパ６２によって規制される。すなわち、開口４６の口壁が突片部７７の片側端に当たる位置と他側端に当たる位置との間でレンズホルダ４０がトラッキング方向に変位可能である。
【００３３】
以上説明した光学式ピックアップ装置において、ベース部材７０の上板部７２がレンズホルダ４０の上側に配備され、かつ、対物レンズ４１が上板部７２のビーム通過口７１に露出している。そのため、上板部７２は、レンズホルダ４０の配備箇所への塵芥の侵入を防ぐことに役立つほか、レンズホルダ４０がフォーカス方向又はトラッキング方向に変位したときや光学式ピックアップ装置全体がディスク半径方向に移動したときなどに、対物レンズ４１が他の部品と干渉するという事態を未然に防ぐことに役立つ。また、光学式ピックアップ装置をセットに組み込む工程中で手が対物レンズ４１などに触れることも防止される。したがって、ベース部材７０の上板部７２が従来例のカバー５０の機能を発揮してそのカバー５０を用いる必要がなくなる。また、ベース部材７０の基本形状が従来例のベース部材２０を上下反転させた形状に相応しているのでベース部材７０の設計も容易である。
【００３４】
図２に示したベース部材７０では、ねじ孔７３ａ，７３ｂを上板部７２の前端部の１箇所とその後端部の左右２箇所とに連設した垂下片部７９ａ，７９ｂに設けてあるけれども、この点は、従来例のベース部材２０を上下反転させることにより形成されるねじ孔をそのまま使用することも可能である。その場合の事例を図６に示してある。すなわち、同図の事例では、従来例のベース部材２０を上下反転させることにより形成されるねじ孔をそのまま備えている。この構成を採用した場合には、ベース部材７０を光学シャーシ１０の上に脚片部７４を介して載架したときに、ねじ孔７３ａ，７３ｂが光学シャーシ１０の取付けねじ挿通孔１３ａや調整ねじ挿通孔１３ｂの上方に離れて位置するようになるので、それらの空間をスペーサ８０で埋めるようにすればよい。
【００３５】
【発明の効果】
以上のように、本発明によれば、従来例のベース部材を上下反転させた形状を基本形状とするベース部材を備え、そのベース部材がそれ本来のレンズホルダを保持するという作用の他に、従来例で用いられていたカバーとしての機能をも発揮するため、カバーを省略し部品点数を削減してコストダウンを図っても、従来例で用いられていたカバーによって発揮される作用と同等の作用がベース部材によって発揮される。したがって、レンズホルダの配備箇所への塵芥の侵入が防止され、レンズホルダがフォーカス方向又はトラッキング方向に変位したときや光学式ピックアップ装置全体がディスク半径方向に移動したときなどに、対物レンズが他の部品と干渉するという事態が未然に防止され、さらに、光学式ピックアップ装置をセットに組み込む工程中で手が対物レンズなどに触れることも防止される。その上、ベース部材７０の設計も容易である。
【００３６】
また、傾角調整機構が、ベース部材及び光学シャーシの各複数箇所に設けられてねじ結合されるねじ止め部と、光学シャーシに具備されて上記脚片部の下端面を互いに直交する２軸周りに揺動可能に受け止める受面とを有するので、従来例と同等程度の対物レンズの傾角調整機能が発揮される。
【図面の簡単な説明】
【図１】本発明実施形態の光学式ピックアップ装置に用いられる光学シャーシやレンズホルダなどを示した概略分解斜視図である。
【図２】ベース部材を斜め下側から見て示した概略斜視図である。
【図３】傾角調整機構の説明図である。
【図４】傾角調整機構の説明図である。
【図５】光学式ピックアップ装置の概略縦断正面図である。
【図６】変形例によるベース部材を斜め下側から見て示した概略斜視図である。
【図７】従来の光学式ピックアップ装置に用いられている光学シャーシなどを示した概略斜視図である。
【図８】同ベース部材、レンズホルダ及びカバーを示した分解斜視図である。
【図９】傾角調整機構の要部の説明図である。
【図１０】同装置の概略縦断正面図である。
【符号の説明】
１０　光学シャーシ
１５　受面
４０　レンズホルダ
４１　対物レンズ
４２，４３　コイル
５０　カバー
６１　第１ストッパ
６１ａ　下側ストッパ面
６１ｂ　上側ストッパ面
７０　ベース部材
７１　ビーム通過口（対物レンズを露出させる開口）
７２　上板部
７４　脚片部
７５　下端面
７６　支軸部
７７　突片部（第２ストッパ）
７８　マグネット
【図１】
2004022076.tif 000003
【図２】
2004022076.tif 000004
【図３】
2004022076.tif 000005
【図４】
2004022076.tif 000006
【図５】
2004022076.tif 000007
【図６】
2004022076.tif 000008
【図７】
2004022076.tif 000009
【図８】
2004022076.tif 000010
【図９】
2004022076.tif 000011
【図１０】
2004022076.tif 000012